(57)【特許請求の範囲】
【請求項１】
共に留守録機能を有する親機及び子機から構成される親子電話装置であって、
親機及び子機それぞれの留守録機能について、オン状態であるかオフ状態であるかを検出する検出手段と、
前記検出手段により親機及び子機の双方の留守録機能が共にオン状態であることが検出された場合に、親機及び子機の一方の留守録機能をオフ状態に変更する解除手段とを備える
ことを特徴とする親子電話装置。
【請求項２】
前記親子電話装置は、親機及び子機の留守録機能のうちいずれを優先するかを示す優先情報を記憶する優先情報記憶手段を備え、
前記解除手段は、前記優先情報に従って、親機及び子機のうち優先しない方の留守録機能をオフ状態に変更する
ことを特徴とする請求項１記載の親子電話装置。
【請求項３】
前記親子電話装置はさらに、
ユーザの指定に応じて前記優先情報を変更する優先情報変更手段を備える
ことを特徴とする請求項２記載の親子電話装置。
【請求項４】
前記検出手段は、周期的に前記検出を行い、
前記解除手段は、前記検出手段により親機及び子機の双方の留守録機能が共にオン状態であることが検出された時に、前記変更を行う
ことを特徴とする請求項１〜３のいずれか１項に記載の親子電話装置。
【請求項５】
留守録機能を有する親機と共に用いられ留守録機能を有する子機であって、
前記親機の留守録機能について、オン状態であるかオフ状態であるかを検出する親機状態検出手段と、
自機の留守録機能について、オン状態であるかオフ状態であるかを検出する子機状態検出手段と、
前記親機状態検出手段及び前記子機状態検出手段により親機及び自機の双方の留守録機能が共にオン状態であることが検出された場合に、自機の留守録機能をオフ状態に変更することと親機に対して留守録機能をオフ状態に変更するよう要求することとのうちいずれか一方を行う解除手段とを備える
ことを特徴とする親子電話装置の子機。
【請求項６】
留守録機能を有する親機と共に用いられ留守録機能を有する子機であって、
自機の留守録機能をオン状態にするユーザによる指定を受け付ける受付手段と、
前記受付手段により前記指定が受け付けられた場合に、前記親機の留守録機能について、オン状態であるかオフ状態であるかを検出する親機状態検出手段と、
前記親機状態検出手段により親機の留守録機能がオフ状態であることが検出された場合には、自機の留守録機能をオン状態にする有効化手段と、
前記親機状態検出手段により親機の留守録機能がオン状態であることが検出された場合には、前記指定を無視することと親機に対して留守録機能をオフ状態に変更するよう要求することとのうちいずれか一方を行う解除手段とを備える
ことを特徴とする親子電話装置の子機。
【請求項７】
前記親機状態検出手段は、前記親機の留守録機能がオン状態であるかオフ状態であるかを示し当該親機から送信されるオン／オフ情報を受信することにより前記検出を行い、
前記解除手段は前記親機に対して留守録機能をオフ状態に変更すべき旨の情報を送信することにより前記要求を行う
ことを特徴とする請求項５又は６記載の親子電話装置の子機。
【発明の詳細な説明】
【０００１】
【発明の属する技術分野】
本発明は、親機と子機とのそれぞれが留守録機能を備えたデジタルコードレス電話装置等の親子電話装置に関する。
【０００２】
【従来の技術】
従来、コードレス電話装置は、電話回線に結線接続される親機と、この親機と無線で通信し、この親機を介して外部の電話装置と通話可能となる子機とから構成される。このコードレス電話装置の親機には留守録機能を有するものもある。
また、近年、子機がパーソナル・ハンディホン・システム（ＰＨＳ）の携帯機としても利用でき、子機単体でも公衆基地局を介して通信可能であるようなデジタルコードレス電話装置が販売されている。このような、親機と通信する自営モードと、公衆基地局と通信する公衆モードとの切り替えができる子機には、公衆モードでの利用における利便性向上等に資するものでありかつ自営モードでも利用可能なものである留守録機能を有するものもある。
【０００３】
親機及び子機の双方が共に留守録機能を有しているデジタルコードレス電話装置のユーザは、親機、子機のそれぞれについて留守録機能をオンにするかオフにするかを設定することができる。ここで、留守録機能とは、外部からの呼び出しを受けて着信した場合に外部から送られる音声等をテープや録音再生専用ＩＣ等の記録媒体に録音する機能をいう。また、留守録機能をオンにするとは、外部からの呼び出しを受けた場合に着信して音声等を録音するというスタンバイ状態にすることをいう。
【０００４】
留守録機能がオンにされている親機又は子機は、外部の電話装置からの呼出回数、即ちリンガの回数が、予め設定した回数を超えた場合に自動的に着信し外部の電話装置から送られる音声を受信して録音する。
なお、自動的に着信するまでの呼出回数をユーザは予め設定することができ、この着信するまでの呼出回数は通常、親機、子機それぞれについて設定できる。また、通常、留守録機能がオンであるか否かは、親機、子機それぞれにおいてＬＥＤの発光やＬＣＤ表示等によりユーザが認識できるようなっている。
【０００５】
【発明が解決しようとする課題】
しかしながら、上述した従来のコードレス電話装置において、親機、子機の双方の留守録機能がオンにされた場合には次のような問題が生じる。
親機及び子機の双方の留守録機能がオンにされているにも関わらず、留守録機能に関して自動的に着信するまでの呼出回数として少ない回数が設定されている側のみが着信し音声の録音を行う。
【０００６】
例えば、子機のＬＣＤには子機自体の留守録機能がオンであることを示すマークが表示されているにも関わらず、親機側で録音がなされてしまい、子機では録音がなされないという事態が発生し、ユーザの混乱を招く。
また、親機、子機の双方の留守録機能に関して、自動的に着信するまでの呼出回数として同一回数が設定されている場合には、外部の電話装置から呼出しがあれば同時に双方が留守録のための処理の実行を開始してしまうというような問題が生じ得る。
【０００７】
そこで本発明はこのような、いわば留守録機能の衝突に関する問題に鑑みてなされたものであり、親機と子機の間での留守録機能の衝突を回避する親子電話装置を提供することを目的とする。
【０００８】
【課題を解決するための手段】
上記課題を解決するために、本発明に係る親子電話装置は、共に留守録機能を有する親機及び子機から構成される親子電話装置であって、親機及び子機それぞれの留守録機能について、オン状態であるかオフ状態であるかを検出する検出手段と、前記検出手段により親機及び子機の双方の留守録機能が共にオン状態であることが検出された場合に、親機及び子機の一方の留守録機能をオフ状態に変更する解除手段とを備えることを特徴とする。
【０００９】
上記構成により、親機及び子機の双方の留守録機能の衝突が回避される。即ち、親機及び子機のいずれかの留守録機能をオフ状態にするので、双方が共に留守録のための処理を実行してしまうことを防ぐことができる。
【００１０】
【発明の実施の形態】
以下、本発明に係る親子電話装置の実施の形態について、図面を用いて説明する。
＜構成＞
図１は、本発明の実施の形態に係るデジタルコードレス電話装置の子機１００の構成を示す機能ブロック図であり、図２は、子機１００に対応するデジタルコードレス電話装置の親機２００の構成を示す機能ブロック図である。
【００１１】
デジタルコードレス電話装置の子機１００は、ＰＨＳの携帯機としても利用可能な子機であり、一般的な子機と同様の外観をしており、図１に示すように、ＲＦ・ＩＦ部１１０、変復調部１２０、デジタル信号処理回路１３０、音声信号処理回路１４０、スピーカ１５１、マイク１５２、録音・再生部１６０、制御部１７０、キー入力受付部１８１及び表示部１８２を備える。
【００１２】
ここで、ＲＦ・ＩＦ部１１０は、親機２００との間でアンテナを介して無線で信号を送受信するために周波数変換を行うものであり、変復調部１２０は、π／４シフトＱＰＳＫによる変復調を行うものである。
デジタル信号処理回路１３０は、時分割多重（ＴＤＭＡ）等のデジタル信号処理を行う回路であり、制御用データを親機２００から受信した場合にその制御用データを抽出し制御部１７０に伝え、また、制御部１７０から伝えられた制御用データを送信するために送信信号に重畳する処理等も行う。ここで、制御用データには、例えば親機状態通知の旨の制御用データ等があり、この親機状態通知の旨の制御用データは、状態情報を含む制御用データである。状態情報とは、親機の留守録機能がオンにされている留守録スタンバイ状態（以下、「オン状態」という。）であるか留守録機能がオフにされている留守録解除状態（以下、「オフ状態」という。）であるかを示す情報をいう。
【００１３】
音声信号処理回路１４０は、ＡＤＰＣＭ／ＰＣＭ変換、Ａ／Ｄ変換及びＤ／Ａ変換を行う回路であり、スピーカ１５１及びマイク１５２と接続されている。
録音・再生部１６０は、録音／再生専用のＩＣを用いて２分程度の音声をデジタル信号として記録し、記録したデジタル信号から音声を再生する等の留守録機能を実現する。
【００１４】
制御部１７０は、デジタル信号処理回路１３０、録音・再生部１６０等の制御を行うもので、メモリ及びマイクロコンピュータで構成され、機能的には、留守録関連情報記憶部１７１、親機状態検出部１７２、留守録オン／オフ情報記憶部１７３、優先情報記憶部１７４及び留守録解除部１７５等を有する。
留守録関連情報記憶部１７１は、留守録機能に関する留守録関連情報を記憶するメモリ領域であり、自動的に着信するまでの呼出回数等の情報を記憶する。
【００１５】
親機状態検出部１７２は、周期的に親機２００から送信されてくる親機状態通知の旨の制御用データ、即ち状態情報等を含む制御用データを、デジタル信号処理回路１３０を介して取得することにより、親機２００の留守録機能がオン状態であるかオフ状態であるかを検出する機能を有する。
留守録オン／オフ情報記憶部１７３は、子機１００自身についての留守録機能がオン状態にあるかオフ状態にあるかの別を示す１ビットのオン／オフ情報を記憶するメモリ領域である。このオン／オフ情報を参照して制御部１７０は留守録機能を実行するか否か、即ち着信時の録音動作を行うか否かの制御を行う。
【００１６】
優先情報記憶部１７４は、親機２００及び子機１００の双方の留守録機能のうち、どちらを優先するかを示す１ビットの優先情報を記憶するメモリ領域であり、この優先情報として、親機優先を示す値又は子機優先を示す値が予め定められている。
留守録解除部１７５は、所定の条件判断に基づき、子機１００の留守録機能をオフ状態にするか、或いは親機２００に対して留守録解除要求の旨の制御用データを送信することにより留守録機能をオフ状態にするよう要求するものである。
【００１７】
なお、親機状態検出部１７２及び留守録解除部１７５は、メモリに格納された制御用のプログラムがマイクロコンピュータにより実行されることにより、その機能が実現されるものである。また、制御部１７０にはＲＦ・ＩＦ部１１０により親機２００から受信した電波の電界強度が入力され、制御部１７０はこの電界強度が所定基準より高い場合においては親機と通信する自営モードで子機が動作するよう制御し、この電界強度が所定基準以下の場合においては無線基地局と通信する公衆モードで子機が動作するよう制御する。
【００１８】
また、キー入力受付部１８１は、テンキー等を通じてなされるユーザによるキー入力を受け付けるもので、表示部１８２は、留守録機能がオン状態にある場合にはそのことを示すマーク等をＬＣＤに表示するものである。
なお、ユーザは、子機１００に対してキー入力することにより、留守録関連情報や留守録機能をオンにするかオフにするかを設定することができ、これに応じて制御部１７０は、留守録関連情報記憶部１７１に格納されている留守録関連情報と留守録オン／オフ情報記憶部１７３に格納されているオン／オフ情報とを更新する。
【００１９】
一方、デジタルコードレス電話装置の親機２００は、電話回線と接続され、子機との間でアンテナを介して無線で信号を送受信することにより、外部の電話装置と子機との間での通話を可能にするものであり、図２に示すように、回線制御回路２１０、音声信号処理回路２２０、デジタル信号処理回路２３０、変復調部２４０、ＲＦ・ＩＦ部２５０、受話器２６０、録音・再生部２７０、制御部２８０及びキー入力受付部２９０を備える。
【００２０】
ここで、回線制御回路２１０は、発呼時の回線接続及び着呼検出等の処理の他、通話時には音声信号処理回路１４０と電話回線との間のインタフェースとしての処理を行う。
音声信号処理回路２２０は、ＡＤＰＣＭ／ＰＣＭ変換、Ａ／Ｄ変換及びＤ／Ａ変換を行う回路であり、受話器２６０と接続されている。
【００２１】
デジタル信号処理回路２３０は、時分割多重（ＴＤＭＡ）等のデジタル信号処理を行う回路であり、制御用データを受信した場合にその制御用データを抽出して制御部２８０に伝え、また、制御部２８０から伝えられた制御用データを送信するために送信信号に重畳する処理等を行う。
ＲＦ・ＩＦ部２５０は、子機１００との間でアンテナを介して無線で信号を送受信するために周波数変換を行うものであり、変復調部２４０は、１／４πシフトＱＰＳＫによる変復調を行うものである。なお、親機２００と子機１００との間の送受信等はＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）規格に準拠して行なわれる。
【００２２】
録音・再生部２７０は、録音／再生専用のＩＣを用いて約１５分の音声をデジタル信号として記録し、記録したデジタル信号から音声を再生する留守録機能を実現する。
制御部２８０は、デジタル信号処理回路２３０、録音・再生部２７０等の制御を行うもので、メモリ及びマイクロコンピュータで構成され、機能的には、留守録関連情報記憶部２８１、状態通知部２８２、留守録オン／オフ情報記憶部２８３、解除要求検出部２８４及び留守録解除部２８５等を有する。
【００２３】
留守録関連情報記憶部２８１は、留守録機能に関する留守録関連情報を記憶するメモリ領域であり、自動的に着信するまでの呼出回数等の情報を記憶する。
留守録オン／オフ情報記憶部２８３は、親機２００自身についての留守録機能がオン状態にあるかオフ状態にあるかの別を示す１ビットのオン／オフ情報を記憶するメモリ領域である。このオン／オフ情報を参照して制御部２８０は留守録機能を実行するか否か、即ち着信時の録音動作を行うか否かの制御を行う。
【００２４】
状態通知部２８２は、留守録オン／オフ情報記憶部２８３に格納されているオン／オフ情報を参照して、親機２００の留守録機能がオン状態にあるかオフ状態にあるかを示す状態情報を子機１００に通知するため、状態情報を含む親機状態通知の旨の制御用データを子機１００に周期的に送信すべくデジタル信号処理回路２３０の制御を行う。なお、最新の状態を示す状態情報を含む制御用データは、約１秒の周期で送信される。
【００２５】
図３は、親機２００から子機１００へ親機状態通知の旨の制御用データが送信される様子を示したシーケンスチャートである。同図に示すように親機２００から子機１００に対しては約１秒毎に親機状態通知の旨の制御用データが送信される。
解除要求検出部２８４は、子機１００から留守録解除要求の旨の制御用データが送られたことを検出し留守録解除部２８５に留守録解除の指示を伝えるものである。
【００２６】
留守録解除部２８５は、解除要求検出部２８４により留守録解除の指示が伝えられると、留守録オン／オフ情報記憶部２８３に格納されているオン／オフ情報をオフ状態を示す値に設定し、解除完了の旨の制御用データを子機１００に送信するようデジタル信号処理回路２３０を制御する。
また、キー入力受付部２９０は、１０キー等を通じてなされるユーザによるキー入力を受け付けるものである。なお、ユーザは、親機２００に対してキー入力することにより、留守録関連情報や留守録機能をオンにするかオフにするかを設定することができ、これに応じて制御部２８０は、留守録関連情報記憶部２８１に格納されている留守録関連情報と留守録オン／オフ情報記憶部２８３に格納されているオン／オフ情報とを更新する。
【００２７】
なお、子機１００及び親機２００はいわゆるリモート機能をサポートしており、ユーザによる子機１００の操作に応じて子機１００は親機２００を制御して、親機２００の録音・再生部２７０により録音されたメッセージを子機１００を操作するユーザに聞かせることや、親機２００の留守録機能をオン又はオフにすること等を実現する。いわゆるリモート機能により子機１００から親機２００を制御する場合は、子機１００と親機２００との間で所定プロトコルに従ったリモート開始手順によりデータの交換を行ったのち、子機１００から制御用データを送信し、これに対して親機２００が応答のための制御用データを返信し、最後に所定プロトコルに従ったリモート終了手順によりデータの交換を行う。
【００２８】
＜動作＞
以下、上述した構成を備える親機２００及び子機１００の留守録機能のオン／オフの状態制御に関連した動作について説明する。
図４は、子機１００の留守録機能についてのオン／オフ状態制御動作を示すフローチャートである。
【００２９】
親機２００が図３に示したように周期的に親機状態通知の旨の制御用データを子機１００に送信しているので、子機１００は、自営モードにおいて親機状態通知の旨の制御用データを受け取る毎に図４に示すオン／オフ状態制御動作を行う。
まず、子機１００は、親機状態検出部１７２により親機２００の留守録機能の状態を検出し、オン状態であるか否かを留守録解除部１７５により判定する（ステップＳ１１）。
【００３０】
留守録解除部１７５は、ステップＳ１１において親機２００の留守録機能はオフ状態であると判定した場合には、オン／オフ状態制御動作を終了する。また、留守録解除部１７５は、ステップＳ１１において親機２００の留守録機能はオン状態であると判定した場合には、留守録オン／オフ情報記憶部１７３に格納されているオン／オフ情報を参照して子機１００の留守録機能がオン状態であるか否かを判定する（ステップＳ１２）。
【００３１】
留守録解除部１７５は、ステップＳ１２において子機１００の留守録機能がオフ状態であると判定した場合には、オン／オフ状態制御動作を終了する。また、留守録解除部１７５は、ステップＳ１２において子機１００の留守録機能がオン状態であると判定した場合には、優先情報記憶部１７４に格納されている優先情報を参照して、親機優先であるか子機優先であるかを判定する（ステップＳ１３）。
【００３２】
留守録解除部１７５は、ステップＳ１３において親機優先であると判定した場合には、留守録オン／オフ情報記憶部１７３に格納されているオン／オフ情報をオフ状態を示す値に更新することにより子機１００の留守録機能をオフ状態にして、オン／オフ状態制御動作を終了する（ステップＳ１４）。
また、留守録解除部１７５は、ステップＳ１３において子機優先であると判定した場合には、いわゆるリモート機能により親機２００の留守録機能をオフ状態にしてオン／オフ状態制御動作を終了する（ステップＳ１５）。
【００３３】
図５は、ステップＳ１５が実行された場合における子機１００と親機２００との間での制御用データの送受信を示すシーケンスチャートである。同図に示すように、留守録解除部１７５はデジタル信号処理回路１３０を制御することにより、リモート開始手順を実行し、留守録解除要求の旨の制御用データを親機２００に対して送信し、親機２００からの解除完了の旨の制御用データを受信した後にリモート終了手順を実行する。親機２００は、この留守録解除要求の旨の制御用データを解除要求検出部２８４により検出して、留守録解除部２８５により、留守録オン／オフ情報記憶部２８３に格納されているオン／オフ情報をオフ状態を示す値に更新するとともに解除完了の旨の制御用データを子機１００に送信する。従って、ステップＳ１５により、親機２００の留守録機能がオフ状態になる。
【００３４】
このように、親機２００及び子機１００からなるデジタルコードレス電話装置は、親機２００と子機１００との双方の留守録機能が共にオン状態である場合に、子機１００がステップＳ１４或いはステップＳ１５の動作を行い、結果的にいずれかの留守録機能を自動的にオフ状態にするので、留守録機能の衝突が回避される。例えば、親機２００の留守録機能がオン状態にされており、また、留守録機能がオン状態にされて公衆モードで利用されていた子機１００がユーザの移動に伴い親機２００に近づき自営モードに切り替わった場面を想定すると、この場面ではステップＳ１１及びステップＳ１２により双方の留守録機能がオン状態であることが検出されステップＳ１４或いはステップＳ１５の動作がなされるため、一方の留守録機能は自動的にオフ状態に変更されることになる。
【００３５】
なお、親機又は子機の留守録機能がオン状態であるかオフ状態であるかを、例えば子機は、ＬＣＤにマーク等を表示することにより示すので、これによりユーザは留守録機能が自動的にオフ状態に変更されたことを知ることができる。
＜補足＞
以上、本発明に係るデジタルコードレス電話装置について、実施の形態に基づいて説明したが、本発明はこれらの実施の形態に限られないことは勿論である。即ち、
（１）本実施の形態では、親機２００は受話器２６０及びキー入力受付部２９０を備えているものとしたが、これに限定されることはなく、受話器２６０、キー入力受付部２９０を備えていなくてもよい。
（２）本実施の形態では、子機１００はオン／オフ状態制御動作としてステップＳ１３において親機優先か子機優先かの判定を行うこととしたが、判定を行わず必ずステップＳ１４の動作を行うこととしてもよいし、判定を行わず必ずステップＳ１５の動作を行うこととしてもよい。
（３）本実施の形態で示した優先情報は必ずしも固定的である必要はなく、親機優先とするか子機優先とするかを随時ユーザが変更できることとしてもよい。
（４）本実施の形態で示したステップＳ１４の動作を行う際、子機１００の制御部１７０は、表示部１８２を介して、親機の留守録機能がオンとなっているため子機の留守録機能をオフにする旨のメッセージを表示することとしてもよい。
（５）本実施の形態では、子機１００はオン／オフ状態制御動作を、親機から親機状態通知の旨の制御用データを受け取る毎に行うこととしたが、必ずしも親機状態通知の旨の制御用データを受け取るタイミングに同期してオン／オフ状態制御動作を実行する必要はない。
【００３６】
また、図４に示したオン／オフ状態制御動作に代えて、子機１００は、自営モードにおいて子機１００に対してユーザがキー操作により留守録機能をオンに設定しようとしたことを検知した場合に親機２００の留守録機能がオン状態であるかを判定してオン状態であれば優先情報に従って親機２００の留守録機能をオフ状態にするか、或いはユーザに留守路機機能をオンにできない旨のメッセージを表示して、子機１００の留守録機能についてはユーザの操作に関わらずオフ状態のままに保ち、親機２００の留守録機能がオフ状態であればユーザの操作に従って子機１００の留守録機能をオン状態にする処理を行うこととしてもよい。
（６）本実施の形態では、子機１００が図４に示すオン／オフ制御動作を行うこととしたが、親機及び子機それぞれについての留守録機能がオン状態であることの検出と一方の留守録機能を解除する動作は、親機側が行っても良く、また親子双方の組合わせによって実現してもよい。
【００３７】
【発明の効果】
以上の説明から明らかなように、本発明に係る親子電話装置は、共に留守録機能を有する親機及び子機から構成される親子電話装置であって、親機及び子機それぞれの留守録機能について、オン状態であるかオフ状態であるかを検出する検出手段と、前記検出手段により親機及び子機の双方の留守録機能が共にオン状態であることが検出された場合に、親機及び子機の一方の留守録機能をオフ状態に変更する解除手段とを備えることを特徴とする。
【００３８】
これにより、親機及び子機の双方の留守録機能の衝突が回避される。即ち、親機及び子機のいずれかの留守録機能をオフ状態にするので、双方が共に留守録のための処理を実行してしまうことを防ぐことができる。また、例えば子機のＬＣＤ等に子機自体の留守録機能がオン状態であることを示すマークが表示されている場合には子機側で留守録動作が行われることが保証されることになり、ユーザはＬＣＤ又はＬＥＤ等を用いてなされる留守録機能がオンであることの表示を信じることができるようになる。
【００３９】
ここで、前記親子電話装置は、親機及び子機の留守録機能のうちいずれを優先するかを示す優先情報を記憶する優先情報記憶手段を備え、前記解除手段は、前記優先情報に従って、親機及び子機のうち優先しない方の留守録機能をオフ状態に変更することとすることもできる。
これにより、親機又は子機のうち優先する方の留守録機能をオン状態に保ち、優先しない方の留守録機能をオフ状態にするので、例えば、子機を優先することとしておけば、子機の留守録機能は自動的にオフ状態にされることがないので、ユーザの混乱を防ぐことができる。
【００４０】
また、前記親子電話装置はさらに、ユーザの指定に応じて前記優先情報を変更する優先情報変更手段を備えることとすることもできる。
これにより、親機を優先するか子機を優先するかをユーザが自由に指定することができるようになる。
また、前記検出手段は、周期的に前記検出を行い、前記解除手段は、前記検出手段により親機及び子機の双方の留守録機能が共にオン状態であることが検出された時に、前記変更を行うこととすることもできる。
【００４１】
これにより、親機及び子機の双方の留守録機能がオン状態となっていることを検出した場合には、早急に一方の留守録機能をオフ状態に変更するため、親機、子機それぞれの留守録機能の状態がユーザによりオフからオンに変更された場合においても留守録機能の衝突を回避することができる。
また、本発明に係る親子電話装置の子機は、留守録機能を有する親機と共に用いられ留守録機能を有する子機であって、前記親機の留守録機能について、オン状態であるかオフ状態であるかを検出する親機状態検出手段と、自機の留守録機能について、オン状態であるかオフ状態であるかを検出する子機状態検出手段と、前記親機状態検出手段及び前記子機状態検出手段により親機及び自機の双方の留守録機能が共にオン状態であることが検出された場合に、自機の留守録機能をオフ状態に変更することと親機に対して留守録機能をオフ状態に変更するよう要求することとのうちいずれか一方を行う解除手段とを備えることを特徴とする。
【００４２】
これにより、親機及び子機の双方の留守録機能がオン状態であると検出された場合に、子機は、従来のいわゆるリモート機能等により親機に対し留守録機能をオフ状態にするよう要求するか或いは子機自身の留守録機能をオフ状態に変更するため、留守録機能の衝突を回避することができる。
また、本発明に係る親子電話装置の子機は、留守録機能を有する親機と共に用いられ留守録機能を有する子機であって、自機の留守録機能をオン状態にするユーザによる指定を受け付ける受付手段と、前記受付手段により前記指定が受け付けられた場合に、前記親機の留守録機能について、オン状態であるかオフ状態であるかを検出する親機状態検出手段と、前記親機状態検出手段により親機の留守録機能がオフ状態であることが検出された場合には、自機の留守録機能をオン状態にする有効化手段と、前記親機状態検出手段により親機の留守録機能がオン状態であることが検出された場合には、前記指定を無視することと親機に対して留守録機能をオフ状態に変更するよう要求することとのうちいずれか一方を行う解除手段とを備えることを特徴とする。
【００４３】
これにより、ユーザが子機の留守録機能をオン状態に設定しようとした場合において、親機と子機の留守録機能の衝突を未然に防止することが可能となる。
ここで、前記親機状態検出手段は、前記親機の留守録機能がオン状態であるかオフ状態であるかを示し当該親機から送信されるオン／オフ情報を受信することにより前記検出を行い、前記解除手段は前記親機に対して留守録機能をオフ状態に変更すべき旨の情報を送信することにより前記要求を行うこととすることもできる。
【００４４】
これにより、親機の留守録機能がオン状態であるかオフ状態であるかを、親機から送信されるオン／オフ状態を受信して参照することにより検出するので、親機の状態に基づいて留守録機能のオン／オフに関連する制御が可能となり、留守録機能の衝突を回避することができる。
【図面の簡単な説明】
【図１】本発明の実施の形態に係るデジタルコードレス電話装置の子機１００の構成を示す機能ブロック図である。
【図２】子機１００に対応するデジタルコードレス電話装置の親機２００の構成を示す機能ブロック図である。
【図３】親機２００から子機１００へ親機状態通知の旨の制御用データが送信される様子を示したシーケンスチャートである。
【図４】子機１００の留守録機能についてのオン／オフ状態制御動作を示すフローチャートである。
【図５】ステップＳ１５が実行された場合における子機１００と親機２００との間での制御用データの送受信を示すシーケンスチャートである。
【符号の説明】
１００    子機
１１０    ＲＦ・ＩＦ部
１２０    変復調部
１３０    デジタル信号処理回路
１４０    音声信号処理回路
１５１    スピーカ
１５２    マイク
１６０    録音・再生部
１７０    制御部
１７１    留守録関連情報記憶部
１７２    親機状態検出部
１７３    留守録オン／オフ情報記憶部
１７４    優先情報記憶部
１７５    留守録解除部
１８１    キー入力受付部
１８２    表示部
２００    親機
２１０    回線制御回路
２２０    音声信号処理回路
２３０    デジタル信号処理回路
２４０    変復調部
２５０    ＲＦ・ＩＦ部
２６０    受話器
２７０    録音・再生部
２８０    制御部
２８１    留守録関連情報記憶部
２８２    状態通知部
２８３    留守録オン／オフ情報記憶部
２８４    解除要求検出部
２８５    留守録解除部
２９０    キー入力受付部
【図１】
0003663091.tif 000002
【図２】
0003663091.tif 000003
【図３】
0003663091.tif 000004
【図４】
0003663091.tif 000005
【図５】
0003663091.tif 000006